(57)【特許請求の範囲】
【請求項１】
建物の扉を電動で施錠又は解錠する複数の電気錠と、
前記扉の室内側から対応する前記電気錠をそれぞれ手動操作で施錠又は解錠させる複数のサムターンと、
複数の前記サムターンの各々について操作の有無を検知する検知部と、
前記検知部が前記サムターンの操作を検知した場合、前記サムターンで操作された電気錠以外の前記電気錠を、前記サムターンで操作された電気錠と同じ状態に施錠又は解錠させるように制御する制御部と、
前記検知部が前記サムターンの操作を検知した場合に前記扉を開閉する人物の認証を行う認証部とを備え、
前記制御部は、前記認証部による認証が成立した場合のみ、前記サムターンで操作された電気錠以外の前記電気錠を、前記サムターンで操作された電気錠と同じ状態に施錠又は解錠させるように制御することを特徴とする電気錠装置。
【請求項２】
複数の電気錠が設けられた扉の室内側から対応する電気錠をそれぞれ手動操作で施錠又は解錠させる複数のサムターンの各々について操作の有無を検知する検知部が前記サムターンの操作を検知した場合に前記扉を開閉する人物の認証を認証部が行い、前記認証部による認証が成立した場合のみ、前記サムターンで操作された電気錠以外の前記電気錠を、前記サムターンで操作された電気錠と同じ状態に施錠又は解錠させるように制御する制御部を備えたことを特徴とする錠制御装置。
【発明の詳細な説明】
【技術分野】
【０００１】
本発明は、電気錠装置、及び錠制御装置に関し、より詳細には、建物の扉に設けられた錠を電動で施錠又は解錠させる電気錠装置、及び錠制御装置に関する。
【背景技術】
【０００２】
従来、扉に設けられた錠を電動で施錠又は解錠する電気錠システムがあった（例えば特許文献１参照）。
【０００３】
この電気錠システムでは、鍵ＩＤ情報が記録された非接触媒体を利用者が携帯して扉に近づくと、扉面に設けられた受信器が、非接触媒体から鍵ＩＤ情報を読み取り、読み取った鍵ＩＤ情報を予め登録されている情報と照合する。受信器は、非接触媒体から読み取った鍵ＩＤ情報が予め登録されている情報と一致すると、解錠ボタン上の表示部を所定時間だけ点灯させる。表示部が点灯している間に利用者が解錠ボタンを押すと、受信器は電気錠装置に解錠指令信号を送信して、電気錠装置を解錠させている。
【先行技術文献】
【特許文献】
【０００４】
【特許文献１】特開２０１０−１３８５７９号公報
【発明の概要】
【発明が解決しようとする課題】
【０００５】
特許文献１に記載された電気錠システムでは、屋内にいる利用者が外出する際、非接触媒体を携帯した利用者が扉に近づいて、認証が成立した状態で、解錠ボタンを操作して電気錠を解錠させた後、扉に設けられたハンドルを持って扉を開けていた。このように、特許文献１の電気錠システムでは、認証成立時に利用者が操作するための解錠ボタンを錠とは別に備える必要があり、部品数が増えるという問題や、扉に解錠ボタンを配置することで扉の意匠性が低下するという問題があった。
【０００６】
本発明は上記課題に鑑みて為され、部品数の削減や扉の意匠性の向上を図ることができる電気錠装置、及び錠制御装置を提供することを目的とする。
【課題を解決するための手段】
【０００７】
上記課題を解決するために、本発明の電気錠装置は、複数の電気錠と、複数のサムターンと、検知部と、制御部と、認証部とを備えたことを特徴とする。複数の前記電気錠の各々は建物の扉を電動で施錠又は解錠する。複数の前記サムターンは、前記扉の室内側から対応する前記電気錠をそれぞれ手動操作で施錠又は解錠させる。前記検知部は複数の前記サムターンの各々について操作の有無を検知する。前記検知部が前記サムターンの操作を検知した場合、前記制御部は、前記サムターンで操作された電気錠以外の前記電気錠を、前記サムターンで操作された電気錠と同じ状態に施錠又は解錠させるように制御する。前記認証部は、前記検知部が前記サムターンの操作を検知した場合に前記扉を開閉する人物の認証を行う。前記制御部は、前記認証部による認証が成立した場合のみ、前記サムターンで操作された電気錠以外の前記電気錠を、前記サムターンで操作された電気錠と同じ状態に施錠又は解錠させるように制御する。
本発明の錠制御装置は制御部を備える。前記制御部は、複数の電気錠が設けられた扉の室内側から対応する電気錠をそれぞれ手動操作で施錠又は解錠させる複数のサムターンの各々について操作の有無を検知する検知部が前記サムターンの操作を検知した場合に前記扉を開閉する人物の認証を認証部が行い、前記認証部による認証が成立した場合のみ、前記サムターンで操作された電気錠以外の前記電気錠を、前記サムターンで操作された電気錠と同じ状態に施錠又は解錠させるように制御する。
【発明の効果】
【０００８】
本発明によれば、部品数の削減や扉の意匠性の向上を図ることができる。
【図面の簡単な説明】
【０００９】
【図１】実施形態の電気錠装置を用いた電気錠システムのブロック図である。
【図２】実施形態の電気錠装置が適用された扉を屋内から見た図である。
【図３】実施形態の電気錠装置が適用された扉を屋外から見た図である。
【図４】実施形態の電気錠装置が適用された扉の要部の断面図である。
【図５】実施形態の電気錠装置が適用された扉が開けられる途中の状態を示す要部の断面図である。
【図６】実施形態の電気錠装置が適用された扉が開けられる途中の状態を示す要部の断面図である。
【図７】実施形態の電気錠装置の動作を示すフローチャートである。
【図８】実施形態の電気錠装置の別の動作を示すフローチャートである。
【発明を実施するための形態】
【００１０】
以下、本発明の一実施形態に係る電気錠装置を用いた電気錠システムについて図面を参照して説明する。ただし、以下に説明する構成は本発明の一例に過ぎない。本発明は、以下の実施形態に限定されず、本発明に係る技術的思想を逸脱しない範囲であれば、設計等に応じて種々の変更が可能である。
【００１１】
図１は電気錠装置を用いた電気錠システムのブロック図である。図２は電気錠装置が適用された扉を屋内から見た図、図３は電気錠装置が適用された扉を屋外から見た図である。
【００１２】
電気錠システムは、電気錠装置１０と、応答器３００（いわゆるタグキー）とを備える。電気錠装置１０は、錠制御装置１００と、電気錠２１０，２２０と、開閉センサ５００とを備える。
【００１３】
この電気錠システムは、建物（例えば戸建ての住宅や集合住宅の住戸など）の扉１を電動で施錠又は解錠するためのシステムである。扉１は例えば玄関扉であり、ヒンジ部３を介して扉枠２に開閉自在に取り付けられている。なお扉１は外開きの扉である。
【００１４】
近年、建物の防犯性能を向上させるために、扉１に複数の錠を取り付けるのが一般的であり、本実施形態では、扉１の戸先側に２つの電気錠２１０，２２０が取り付けられている。なお、電気錠の個数は２個に限定されず、３個以上でもよい。
【００１５】
扉１の屋内側（室内側）と屋外側（室外側）とには、扉１を開閉するためのハンドル４が取り付けられている。ハンドル４は金属又は合成樹脂などの材料で形成されている。ここで、扉１の屋内側の面に設けられたハンドル４を第１ハンドル４１といい、扉１の屋外側の面に設けられたハンドル４を第２ハンドル４２という。ハンドル４が操作されていない状態では、ラッチボルト２１５は扉１の戸先から突出した状態でロックされている（図４参照）。このラッチボルト２１５が、扉枠２に設けられたラッチボルト用のストライク（図示せず）に挿入されることで、扉１が仮締めされ、風などで開かないようになっている。屋内側の第１ハンドル４１が押されるか、又は屋外側の第２ハンドル４２が手前に引っ張られるかすると、ラッチボルト２１５は、ロック状態が解除され、図４に示す位置から図中の右回りに回転可能な状態となる。この状態からさらに、屋内側の第１ハンドル４１を押すか、又は屋外側の第２ハンドル４２を手前に引くかすると、ラッチボルト２１５が扉枠２に押されて回転することによって扉１の内側に引き込まれた状態となり、扉１は開けられた状態となる。
【００１６】
第１ハンドル４１と第２ハンドル４２とは同様の構成を有しているので、図２〜図６を参照して第２ハンドル４２の構成を説明し、第１ハンドル４１の説明は省略する。図４〜図６は、屋外側の第２ハンドル４２の構成を模式的に示した要部の断面図である。図４は第２ハンドル４２が操作されていない状態を示している。図５は、扉１を屋外側（図５の上側）に開く前に、第２ハンドル４２を扉１側に押した状態を示している。図６は、第２ハンドル４２を扉１側に押した後に扉１を開くために、第２ハンドル４２を屋外側に引いた状態を示している。
【００１７】
第２ハンドル４２は、把持部４２０と、２つの連結部４２１と、２つの基部４２２とを備えている。把持部４２０は棒状に形成されており、人の手で把持される。２つの基部４２２は、扉１の屋外側の面に固定されている。２つの基部４２２は、上下方向において間隔を開けて並ぶように配置されている。２つの連結部４２１の各々は、対応する基部４２２と把持部４２０との間を連結する。連結部４２１は、基部４２２に設けられた軸部（図示せず）を中心として所定の角度範囲で回転可能なように、基部４２２に取り付けられている。また、第２ハンドル４２は、扉１の内部に突出する棒状の突起部４２３を備えている。この突起部４２３は、連結部４２１の回転に連動して動作する。把持部４２０を人が操作することによって連結部４２１が軸部を中心として回転すると、連結部４２１の回転に応じて突起部４２３も回転し、突起部４２３の先端が扉１の内部で左右に移動する。
【００１８】
扉１の内部には、把持部４２０が扉１側に押されることによって突起部４２３の先端が扉１の内部を図５中の左側に移動した場合に、突起部４２３の先端で操作ボタンが押される位置にスイッチ２１６が配置されている。スイッチ２１６の操作ボタンが押されると、スイッチ２１６の接点状態がオンからオフ（又はオフからオン）に切り替わる。
【００１９】
また、扉１の内部には、把持部４２０が屋外側に引っ張られることによって突起部４２３の先端が扉１の内部を図６中の右側に移動した場合に、突起部４２３の先端で押される位置にラッチ駆動部２１５１が配置されている。ラッチ駆動部２１５１が突起部４２３の先端で押されていない状態では、ラッチボルト２１５は扉１の戸先から扉枠２側に突出した状態でロックされ、このラッチボルト２１５が扉枠２のストライクに挿入されることで、扉１が仮締めされる。一方、ラッチ駆動部２１５１が突起部４２３の先端で押された場合、ラッチ駆動部２１５１は、ラッチボルト２１５のロックを解除して回転自在な状態とする。この状態から把持部４２０がさらに外側に引っ張られると、ラッチボルト２１５が扉枠２に押されて回転することによって扉１の内側に引き込まれた状態となり、扉１が屋外側に開かれる。
【００２０】
なお第１ハンドル４１は、第２ハンドル４２と同様に、把持部４１０と、２つの連結部４１１と、２つの基部４１２と、突起部（図示せず）とを備えている。第１ハンドル４１の把持部４１０、連結部４１１、基部４１２、突起部は、第２ハンドル４２の把持部４２０、連結部４２１、基部４２２、突起部４２３と同様の機能を備えているので、その説明は省略する。なお、第１ハンドル４１が屋外側に押された場合、第１ハンドル４１の突起部がラッチ駆動部２１５１を押すことによって、ラッチ駆動部２１５１がラッチボルト２１５を回転自在な状態としている。
【００２１】
なお本実施形態では、屋内側の第１ハンドル４１と屋外側の第２ハンドル４２とが同じ形状に形成されているが、第１ハンドル４１と第２ハンドル４２とは異なる形状に形成されてもよい。また、扉１を開閉するために扉１に設けられた取手はハンドル４に限定されず、レバーやノブでもよい。
【００２２】
次に、錠制御装置１００の構成について図１〜図３を参照して説明する。
【００２３】
まず、電気錠２１０，２２０の構成を説明する。電気錠２１０は、錠２１１と駆動装置２１２と施解錠センサ２１３とを備える。電気錠２２０は、錠２２１と駆動装置２２２と施解錠センサ２２３とを備える。電気錠２１０，２２０は同様の構成を有しているので、電気錠２１０について説明し、電気錠２２０については説明を省略する。
【００２４】
錠２１１は、扉枠２に設けられたストライク（図示せず）にそれぞれ挿入されるデッドボルト２１４およびラッチボルト２１５を備える（図２及び図３参照）。扉１の屋外側の面には、錠２１１に対応する位置にシリンダー６が設けられている（図３参照）。利用者がシリンダー６に正規の鍵（図示せず）を差し込み、この鍵を回転させると、シリンダー６が回転させられて、錠２１１が施錠又は解錠される。また扉１の屋内側の面には、錠２１１に対応する位置にサムターン５が取り付けられている（図２参照）。利用者がサムターン５を回転させると、サムターン５の回転に応じて錠２１１が施錠又は解錠される。
【００２５】
駆動装置２１２は、デッドボルト２１４を前進又は後退させるモータ（図示せず）などを備えている。駆動装置２１２は、錠制御装置１００から入力される駆動信号に応じてモータを回転させ、デッドボルト２１４を前進又は後退させる。デッドボルト２１４が前進して、扉枠２に設けられたデッドボルト用のストライクにデッドボルト２１４が挿入されると、扉１が施錠される。デッドボルト２１４が後退し、扉枠２のストライクから外に出ると、扉１が解錠される。
【００２６】
施解錠センサ２１３は、錠２１１が施錠しているのか、解錠しているのかを検知する。なお電気錠２１０，２２０は、電動モータでデッドボルト（又はストライク）を駆動するようなモータ錠で構成されてもよいし、サムターンを電動モータで回転させる電動サムターンと機械式の錠装置とを組み合わせた構成でもよい。
【００２７】
錠制御装置１００は、演算処理部１１０と、第１通信部１２１と、第２通信部１２２と、第１表示部１３１と、第２表示部１３２と、第１検知部１４０と、第２検知部１５０と、電気錠駆動回路１６１，１６２と、電源部１７０を備える。
【００２８】
演算処理部１１０は、例えばＲＯＭ（Read Only Memory）などのメモリに格納された制御プログラムを実行することによって所定の機能を実現するマイクロコンピュータからなる。演算処理部１１０が制御プログラムを実行することによって、演算処理部１１０には、応答器３００の認証を行う認証部１１１の機能や、電気錠２１０，２２０の施錠、解錠を制御する制御部１１２の機能が実現されている。また演算処理部１１０は格納部１１３を備えている。格納部１１３は、ＥＥＰＲＯＭ（Electrically Erasable and Programmable Read Only Memory）のような電気的に書き換え可能な不揮発性メモリからなる内蔵メモリである。格納部１１３には、解錠又は施錠を許可する応答器３００の識別情報が格納される。なお、格納部１１３に識別情報が格納されている応答器３００は、電気錠２１０，２２０を解錠又は施錠する操作を許可された応答器であり、このような応答器３００を正規の応答器という。
【００２９】
第１通信部１２１は第１ＬＦ通信回路１２１１と第１ＬＦアンテナ１２１２とを備える。第１ＬＦアンテナ１２１２はコイル形のアンテナであり、扉１の屋内側に取り付けられている（図２参照）。第１ＬＦ通信回路１２１１は、第１ＬＦアンテナ１２２２を介してＬＦ（Low Frequency）帯の電波信号を送受信する。
【００３０】
第２通信部１２２は第２ＬＦ通信回路１２２１と第２ＬＦアンテナ１２２２とを備える。第２ＬＦアンテナ１２２２はコイル形のアンテナであり、扉１の屋外側に取り付けられている（図３参照）。第２ＬＦ通信回路１２２１は、第２ＬＦアンテナ１２２２を介してＬＦ帯の電波信号を送受信する。
【００３１】
なお、本実施形態の第１通信部１２１および第２通信部１２２は応答器３００との間でＬＦ帯の電波信号を送受信するが、第１通信部１２１および第２通信部１２２と応答器３００との間の通信仕様は適宜変更が可能である。
【００３２】
第１表示部１３１は、例えばＬＥＤ（Light Emitting Diode）や液晶ディスプレイなどからなる。第１表示部１３１は、扉１の屋内側に設けられて、電気錠装置１０の動作状態（例えば電気錠２１０，２２０の施解錠動作や応答器３００の認証結果など）を表示する。
【００３３】
第２表示部１３２は、例えばＬＥＤや液晶ディスプレイなどからなり、扉１の屋外側に設けられて、電気錠装置１０の動作状態（例えば電気錠２１０，２２０の施解錠動作や応答器３００の認証結果など）を表示する。
【００３４】
第１検知部１４０は、複数（本実施形態では２つ）のサムターン５の各々について、操作の有無を検知する。第１検知部１４０は、何れかのサムターン５で解錠操作が行われると、解錠操作を示す検知信号を演算処理部１１０に出力する。また第１検知部１４０は、何れかのサムターン５で施錠操作が行われると、施錠操作を示す検知信号を演算処理部１１０に出力する。
【００３５】
第２検知部１５０は、屋外側に設けられた第２ハンドル４２の操作を検知する。第２検知部１５０は、第２ハンドル４２に設けられたスイッチ２１６の接点状態をもとに第２ハンドル４２の操作を検知する。
【００３６】
電気錠駆動回路１６１は、演算処理部１１０から入力される制御信号に応じて、電気錠２１０を施錠又は解錠させる駆動信号を電気錠２１０に出力する。
【００３７】
電気錠駆動回路１６２は、演算処理部１１０から入力される制御信号に応じて、電気錠２２０を施錠又は解錠させる駆動信号を電気錠２２０に出力する。
【００３８】
電源部１７０は、例えば電池を電源として電気錠装置１０の各部に動作電力を供給する。なお電源部１７０は、扉枠２に設けられた送電部から非接触給電方式で電力供給を受ける受電部を備え、外部から供給される電力で動作するものでもよい。
【００３９】
開閉センサ５００は、例えば扉枠２に取り付けられたマグネット（図示せず）と、扉１が閉じられた状態でマグネットと対向するように扉１に配置された磁気センサ（図示せず）とを備える。開閉センサ５００は、磁気センサによる磁気の検出結果をもとに、扉１が開いているか閉じているかを検知し、その検知結果を演算処理部１１０に出力する。
【００４０】
次に応答器３００について図１を参照して説明する。
【００４１】
応答器３００は、制御部３１０と、ＬＦ通信回路３２０と、ＬＦアンテナ３３０と、表示部３４０と、操作部３５０と、電源部３６０とを備える。
【００４２】
制御部３１０は、例えばＲＯＭなどのメモリに格納された制御プログラムを実行することによって所定の機能を実現するマイクロコンピュータを備える。制御部３１０は例えばＥＥＰＲＯＭなどの内蔵メモリを備え、この内蔵メモリには当該応答器３００に割り当てられた識別情報が保持されている。ＬＦ通信回路３２０が錠制御装置１００から送信された質問信号を受信すると、制御部３１０は、内蔵メモリに格納された識別情報を含む応答信号を作成し、この応答信号をＬＦ通信回路３２０から送信させる。
【００４３】
ＬＦ通信回路３２０は、コイル型のＬＦアンテナ３３０を用い、所定の周波数帯（例えばＬＦ帯）の電波で通信を行う。
【００４４】
ＬＦアンテナ３３０は、例えば３つの独立したコイルを直交に配置した３軸構成である。したがって、応答器３００の向きがどのような向きであっても、錠制御装置１００との間で安定した通信が行える。
【００４５】
表示部３４０は、例えばＬＥＤランプや液晶ディスプレイなどで構成され、応答器３００の動作状態などを光や文字で表示する。
【００４６】
操作部３５０は、応答器３００の電源をオン／オフする操作などを行うためのものである。
【００４７】
電源部３６０は、例えばコイン形のリチウム電池を備え、各部を駆動するための電力を供給する。
【００４８】
本実施形態の電気錠装置１０を用いた電気錠システムは上記のような構成を有しており、屋内から扉１を開けて屋外に出る場合の動作について説明する。
【００４９】
扉１の屋内側にある２つのサムターン５のうちの何れかを利用者が解錠操作すると、第１検知部１４０がサムターン５の解錠操作を検知して、解錠操作を示す検知信号を演算処理部１１０に出力する。制御部１１２は、解錠操作を示す検知信号が第１検知部１４０から入力されると、電気錠駆動回路１６１，１６２に解錠命令を出力して、電気錠２１０，２２０を解錠させる。例えば、サムターン５を用いて電気錠２１０を解錠させる操作を第１検知部１４０が検知した場合、制御部１１２は電気錠駆動回路１６１，１６２に解錠命令を出力し、電気錠２２０を、サムターン５で解錠された電気錠２１０と同じ状態（解錠状態）に制御する。
【００５０】
また、扉１の屋内側にある２つのサムターン５のうちの何れかを利用者が施錠操作すると、第１検知部１４０がサムターン５の施錠操作を検知して、施錠操作を示す検知信号を演算処理部１１０に出力する。制御部１１２は、施錠操作を示す検知信号が第１検知部１４０から入力されると、電気錠駆動回路１６１，１６２に施錠命令を出力して、電気錠２１０，２２０を施錠させる。例えば、サムターン５を用いて電気錠２１０を施錠する操作を第１検知部１４０が検知した場合、制御部１１２は電気錠駆動回路１６１，１６２に施錠命令を出力し、電気錠２２０を、サムターン５で解錠された電気錠２１０と同じ状態（施錠状態）に制御する。
【００５１】
このように、複数ある電気錠２１０，２２０のうちの１つをサムターン５で解錠又は施錠すれば、制御部１１２によって全ての電気錠２１０，２２０が同じ状態に制御されるから、操作の手間を省くことができる。しかも、電気錠２１０，２２０が必ず備えているサムターン５の操作を第１検知部１４０が検知して、電気錠２１０，２２０を施錠又は解錠させているから、電気錠２１０，２２０を施錠又は解錠させるための操作ボタンを別途備える必要が無い。したがって、電気錠装置１０の部品数を削減でき、また扉１の屋内側の面に解錠操作のための操作ボタンを配置する必要が無いから、扉１の意匠性が向上する。
【００５２】
ところで、本実施形態において、複数ある電気錠２１０，２２０のうちの１つをサムターン５で解錠又は施錠すると、この操作をトリガとして認証部１１１が、サムターン５を操作した人物の認証を行ってもよい。そして、認証部１１１による認証が成立した場合のみ、制御部１１２は、サムターン５で操作された電気錠と同じ状態となるように、他の電気錠を解錠又は施錠させてもよい。
【００５３】
この場合の動作について、図７のフローチャートを参照して説明する。
【００５４】
利用者が屋内から扉１を開ける場合、利用者は複数あるサムターン５のうちの何れかを手動で解錠操作し、この解錠操作によって対応する電気錠（例えば電気錠２１０）が手動で解錠される（図７のステップＳ１）。
【００５５】
サムターン５を用いて電気錠２１０の解錠操作が行われると、第１検知部１４０がサムターン５の解錠操作を検知して、解錠操作を示す検知信号を演算処理部１１０に出力する。演算処理部１１０の認証部１１１は、第１検知部１４０から解錠操作の検知信号が入力されると、検知信号の入力をトリガとして、応答器３００の認証処理を開始する（ステップＳ２）。
【００５６】
認証部１１１は、応答器３００に識別情報の送信を要求する質問信号を、第１通信部１２１及び第２通信部１２２に送信させる。利用者が携帯する応答器３００は扉１の屋内側にあり、第１通信部１２１から送信された質問信号を受信すると、この質問信号に対する応答信号を送信する。第１通信部１２１が応答器３００から送信された応答信号を受信すると、第１通信部１２１は受信した応答信号を演算処理部１１０に出力する。
【００５７】
第１通信部１２１から演算処理部１１０に応答信号が入力されると、認証部１１１は、応答信号に含まれる識別情報と、格納部１１３に格納された識別情報とを照合することによって、応答器３００の認証を行う（ステップＳ３）。
【００５８】
ステップＳ３の認証処理において、認証が不成立だった場合（ステップＳ３のｎｏ）、認証部１１１は、サムターン５を操作した人物が正規の応答器３００を携帯していないと判断する。認証部１１１は、制御部１１２に電気錠２２０を解錠させず、電気錠２２０は施錠状態を維持する（ステップＳ７）。このとき、演算処理部１１０は第１表示部１３１を制御してランプを点滅させたり、ブザー（図示せず）を鳴動させたりして、認証が不成立だったことを報知する。
【００５９】
一方、ステップＳ３の認証処理において、応答信号に含まれる識別情報が、格納部１１３に格納された識別情報と一致すると（ステップＳ３のｙｅｓ）、認証部１１１は正規の応答器３００と判断する（認証成立）。認証部１１１が正規の応答器３００と判断すると、制御部１１２は電気錠駆動回路１６１，１６２に解錠命令を出力する。このとき、電気錠駆動回路１６２によって電気錠２２０が解錠され、全ての電気錠２１０，２２０が解錠された状態となる（ステップＳ４）。
【００６０】
電気錠２１０，２２０が解錠された後に、把持部４１０が屋外側に押されると、第１ハンドル４１の突起部によってラッチ駆動部２１５１が押されて、ラッチボルト２１５は回転自在な状態となる。把持部４１０がこの状態からさらに屋外側に押されると（ステップＳ５）、ラッチボルト２１５が扉枠２に押されて回転することによって扉１の内側に引き込まれた状態となり、扉１が開けられる（ステップＳ６）。扉１が開けられると、開閉センサ５００は、扉１の開状態を検知して、検知信号を演算処理部１１０に出力する。
【００６１】
扉１が開けられた状態で応答器３００を携帯した利用者が屋外に出て、扉１が閉じられると、開閉センサ５００は、扉１の閉状態を検知して、検知信号を演算処理部１１０に出力する。制御部１１２は、電気錠２１０，２２０を解錠させた後に、開閉センサ５００からの検知信号に基づいて扉１が開けられてから閉じられたと判断すると、一定時間後に電気錠駆動回路１６１，１６２に施錠命令を出力する。電気錠駆動回路１６１，１６２に施錠命令が入力されると、電気錠駆動回路１６１によって電気錠２１０が施錠され、電気錠駆動回路１６２によって電気錠２２０が施錠される。
【００６２】
このように、複数ある電気錠２１０，２２０のうちの１つをサムターン５で解錠又は施錠すれば、サムターン５の操作をトリガとして、認証部１１１が認証を開始する。そして、認証部１１１による認証が成立した場合は、制御部１１２によって全ての電気錠２１０，２２０が同じ状態に制御されるから、操作の手間を省くことができる。しかも、電気錠２１０，２２０が必ず備えているサムターン５の操作を第１検知部１４０が検知して、認証部１１１が認証を開始しているから、認証部１１１による認証を開始させるための操作ボタンを別途設ける必要が無い。したがって、電気錠装置１０の部品数を削減でき、また扉１の屋内側の面に操作ボタンを配置する必要が無いから、扉１の意匠性が向上する。
【００６３】
なお、図８のフローチャートでは、サムターン５による解錠操作をトリガとして認証部１１１が認証処理を開始する場合について説明したが、サムターン５による施錠操作をトリガとして認証部１１１が認証処理を開始してもよい。この場合も、認証部１１１による認証が成立すれば、制御部１１２が全ての電気錠２１０，２２０を施錠させており、１つのサムターン５を施錠操作するだけで、全ての電気錠２１０，２２０を施錠することができる。
【００６４】
また上述の実施形態において、第１検知部１４０は、サムターン５の操作を検知した場合に、どの電気錠が操作されたのかを検知し、その検知結果を含めた検知信号を演算処理部１１０に出力してもよい。この場合、制御部１１２は、サムターン５で操作されていない電気錠に対応した電気錠駆動回路のみに制御命令を出力し、サムターン５で操作されていない電気錠を、サムターン５で操作された電気錠と同じ状態に制御してもよい。
【００６５】
また、屋外から扉１を開けて屋内に入る場合の動作を図８のフローチャートに基づいて説明する。
【００６６】
正規の応答器３００を携帯した利用者が、屋外から扉１を開ける場合、まず第２ハンドル４２の把持部４２０を持って、扉１を開ける方向と反対向き（つまり扉１に近づく向き）に把持部４２０を押す（図８のステップＳ１１）。
【００６７】
図５に示すように把持部４２０が扉１に近づく向きに押されると、第２ハンドル４２の突起部４２３によってスイッチ２１６の操作ボタンが押され、スイッチ２１６の接点状態が例えばオンからオフに反転する。スイッチ２１６の接点信号は第２検知部１５０に入力されている。第２検知部１５０は、スイッチ２１６の接点状態がオンからオフに反転したことから、第２ハンドル４２が操作されたことを検知し、検知信号を演算処理部１１０に出力する。第２検知部１５０から演算処理部１１０に検知信号が入力されると、認証部１１１は、第２ハンドル４２が操作されたことをトリガとして、応答器３００の認証処理を開始する（ステップＳ１２）。
【００６８】
認証部１１１は、応答器３００に識別情報の送信を要求する質問信号を、第１通信部１２１及び第２通信部１２２に送信させる。利用者が携帯する応答器３００は扉１の屋外側にあり、第２通信部１２２から送信された質問信号を受信すると、この質問信号に対する応答信号を送信する。第２通信部１２２が応答器３００から送信された応答信号を受信すると、第２通信部１２２は受信した応答信号を演算処理部１１０に出力する。
【００６９】
第２通信部１２２から演算処理部１１０に応答信号が入力されると、認証部１１１は、応答信号に含まれる識別情報と、格納部１１３に格納された識別情報とを照合することによって、応答器３００の認証を行う（ステップＳ１３）。
【００７０】
ステップＳ１３の認証処理において、認証が不成立だった場合（ステップＳ１３のｎｏ）、認証部１１１は、第２ハンドル４２を操作した人物が正規の応答器３００を携帯していないと判断する。認証部１１１は、制御部１１２に電気錠２１０，２２０を解錠させず、電気錠２１０，２２０は施錠状態を維持する（ステップＳ１７）。このとき、演算処理部１１０は第２表示部１３２を制御してランプを点滅させたり、ブザー（図示せず）を鳴動させたりして、認証が不成立だったことを報知する。
【００７１】
一方、ステップＳ１３の認証処理において、応答信号に含まれる識別情報が、格納部１１３に格納された識別情報と一致すると（ステップＳ１３のｙｅｓ）、認証部１１１は正規の応答器３００と判断する（認証成立）。認証部１１１が正規の応答器３００と判断すると、制御部１１２は電気錠駆動回路１６１，１６２に解錠命令を出力する。電気錠駆動回路１６１，１６２に解錠命令が入力されると、電気錠駆動回路１６１によって電気錠２１０が解錠され、電気錠駆動回路１６２によって電気錠２２０が解錠される（ステップＳ１４）。電気錠２１０が錠２１１を解錠させると、施解錠センサ２１３が解錠状態を検知し、その検知結果が演算処理部１１０に出力される。同様に、電気錠２２０が錠２２１を解錠させると、施解錠センサ２２３が解錠状態を検知し、その検知結果が演算処理部１１０に出力される。
【００７２】
電気錠２１０，２２０が解錠された後に、把持部４２０が屋外側に引っ張られると、第２ハンドル４２の突起部４２３によってラッチ駆動部２１５１が押されて、ラッチボルト２１５は回転自在な状態となる。把持部４２０がこの状態からさらに屋外側に引っ張られると（ステップＳ１５）、ラッチボルト２１５が扉枠２に押されて回転することによって扉１の内側に引き込まれた状態となり、扉１が開けられる（ステップＳ１６）。扉１が開けられると、開閉センサ５００は、扉１の開状態を検知して、検知信号を演算処理部１１０に出力する。
【００７３】
扉１が開けられた状態で応答器３００を携帯した利用者が屋内に入り、扉１が閉じられると、開閉センサ５００は、扉１の閉状態を検知して、検知信号を演算処理部１１０に出力する。制御部１１２は、電気錠２１０，２２０を解錠させた後に、開閉センサ５００からの検知信号に基づいて扉１が開けられてから閉じられたと判断すると、一定時間後に電気錠駆動回路１６１，１６２に施錠命令を出力する。電気錠駆動回路１６１，１６２に施錠命令が入力されると、電気錠駆動回路１６１によって電気錠２１０が施錠され、電気錠駆動回路１６２によって電気錠２２０が施錠される。
【００７４】
このように、本実施形態では屋外から扉１を開けるために操作する第２ハンドル４２の操作で認証処理が開始されるから、認証処理を開始させるための操作スイッチを別に設ける必要が無くなる。しかも、第２ハンドル４２が押されることで認証処理が開始された後、第２ハンドル４２が引っ張られることで扉１が開けられるから、一つの第２ハンドル４２で認証処理を開始させる操作と扉１を開けるという操作を行うことができ、操作性が向上する。
【００７５】
また、応答器３００が加速度センサなどの動き検知部を備えてもよい。動き検知部は、加速度センサによって検出された加速度と閾値との高低を比較し、検出された加速度が閾値以上であれば、応答器３００が動いていると検知する。応答器３００は、応答信号に動き検知部の検知結果を含めて送信する。そして、錠制御装置１００は、認証処理を行って応答器３００から応答信号を受信した場合、応答信号に含まれる動き検知部の検知結果をもとに、認証が成立し、かつ、応答器３００に動きがあれば、電気錠２１０，２２０を解錠させてもよい。これにより、応答器３００が扉１の近くに置き忘れられている場合に、応答器３００を持たない人物の操作で扉１が解錠される事象が起こりにくくなる。
【００７６】
また、錠制御装置１００は、定期的に質問信号を送信して応答器３００から応答信号を受信しても良い。そして、錠制御装置１００は、ハンドル４が操作され、応答器３００の認証が成立した場合に、ハンドル４が操作される前の一定時間内に動き検知部が動きを検知していれば、電気錠２１０，２２０を解錠させてもよい。これにより、応答器３００が扉１の近くに置き忘れられている場合に、応答器３００を持たない人物の操作で扉１が解錠される事象が起こりにくくなる。
【００７７】
以上説明したように、本実施形態の電気錠装置１０は、複数の電気錠（本実施形態では２つの電気錠２１０，２２０）と、複数のサムターン５と、検知部（第１検知部１４０）と、制御部１１２とを備えたことを特徴とする。複数の電気錠の各々は建物の扉１を電動で施錠又は解錠する。複数のサムターン５は、扉１の室内側から対応する電気錠をそれぞれ手動操作で施錠又は解錠させる。検知部は複数のサムターン５の各々について操作の有無を検知する。検知部がサムターン５の操作を検知した場合、制御部１１２は、サムターン５で操作された電気錠以外の電気錠を、サムターン５で操作された電気錠と同じ状態に施錠又は解錠させるように制御する。
【００７８】
このように、複数ある電気錠のうちの１つをサムターン５で解錠又は施錠すれば、制御部１１２によって全ての電気錠２１０，２２０が同じ状態に制御されるから、操作の手間を省くことができる。しかも、電気錠が必ず備えているサムターン５の操作を検知部が検知して、電気錠を施錠又は解錠させているから、電気錠を施錠又は解錠させるための操作ボタンを別途設ける必要が無い。したがって、電気錠装置１０の部品数を削減でき、また扉１の屋内側の面に操作ボタンを配置する必要が無いから、扉１の意匠性が向上する。
【００７９】
本実施形態の電気錠装置１０において、検知部（第１検知部１４０）がサムターン５の操作を検知した場合に扉１を開閉する人物の認証を行う認証部１１１を備えてもよい。そして、制御部１１２は、認証部１１１による認証が成立した場合のみ、サムターン５で操作された電気錠以外の電気錠を、サムターン５で操作された電気錠と同じ状態に施錠又は解錠させるように制御してもよい。
【００８０】
このように、複数ある電気錠のうちの１つをサムターン５で解錠又は施錠すれば、サムターン５の操作をトリガとして、認証部１１１が認証を開始する。そして、認証部１１１による認証が成立した場合は、制御部１１２によって全ての電気錠が同じ状態に制御されるから、操作の手間を省くことができる。認証部１１１による認証が不成立であれば、サムターン５で操作された電気錠以外の電気錠は、そのままの状態を維持するので、セキュリティ性が向上する。さらに、電気錠が必ず備えているサムターン５の操作を検知部が検知して、認証部１１１が認証を開始しているから、認証部１１１による認証を開始させるための操作ボタンを別途設ける必要が無い。したがって、電気錠装置１０の部品数を削減でき、また扉１の屋内側の面に操作ボタンを配置する必要が無いから、扉１の意匠性が向上する。
【００８１】
なお本実施形態の認証部１１１は、利用者に持たせた応答器３００の認証を行うことによって、扉１を開閉する人物の認証を行っているが、認証の方法は、指紋や網膜などのバイオメトリクス情報を用いた認証方法でもよい。
【符号の説明】
【００８２】
１  扉
５  サムターン
１０  電気錠装置
１００  錠制御装置
１１０  演算処理部
１１１  認証部
１１２  制御部
１４０  第１検知部（検知部）
２１０，２２０  電気錠
【図１】
0006395079.tif 000002
【図２】
0006395079.tif 000003
【図３】
0006395079.tif 000004
【図４】
0006395079.tif 000005
【図５】
0006395079.tif 000006
【図６】
0006395079.tif 000007
【図７】
0006395079.tif 000008
【図８】
0006395079.tif 000009